(57)【特許請求の範囲】
【請求項１】
前のボードと後のボードとを連結させる連結部材が備えられ、
前記前のボードの底面および前記後のボードの底面にキャスターが取り付けられ、このキャスターに、回転軸を有するローラーが備えられ、このローラーの回転軸のそれぞれが、回動軸まわりに回動するように構成され、この回動軸のそれぞれが、側面視で鉛直軸に対して斜め前方に傾斜し、
前記前後のボードから捩じれ力を受けた際に捩じれ、且つこの捩じれ力が解除された際に元の状態に復元する弾性部材が、前記連結部材に備えられ、
前記前のボードおよび／または前記後のボードの縁に、地面との接触時に地面を損傷させない部材であるゴムが備えられた、
ことを特徴とするスケートボード。
【発明の詳細な説明】
【技術分野】
【０００１】
本発明は、板状部材の底面に車輪が備えられたスケートボードに関するものである。
【背景技術】
【０００２】
従来、スケートボードは、板状部材の底面の前方および後方に車輪が取り付けられて形成されている。このようなスケートボードとして、例えば下記特許文献１に記載されたスケートボードは、それぞれにキャスターが取り付けられた前のボードと後のボードとが、捩じれパイプによって連結されたものである。このスケートボードは、利用者が身体を捩じって体重を移動させることで捩じれパイプが捩じれ、前のボードおよび後のボードが地面に対して傾きながら蛇行して滑走する。
【先行技術文献】
【特許文献】
【０００３】
【特許文献１】特許第４４１１２００号公報
【発明の概要】
【発明が解決しようとする課題】
【０００４】
しかし、特許文献１に記載されたスケートボードは、上記したとおり、捩じれパイプが捩じれ、前のボードおよび後のボードが地面に対して傾きながら蛇行して滑走するため、傾いた各ボードが地面に接触する場合がある。このように、滑走させると地面を損傷させることになるため、特に屋内施設での滑走が敬遠される場合がある。
【０００５】
本発明は、上記の実情に鑑みて提案されたものである。すなわち、地面の損傷を防止することができるスケートボードの提供を目的とする。
【０００６】
なお、本発明において、「回動軸」とは地面と交差する軸であり、「回動」とは、回動軸を軸として回転することをいう。
【課題を解決するための手段】
【０００７】
上記目的を達成するために、本発明に係るスケートボードは、前のボードと後のボードとを連結させる連結部材が備えられ、前記前のボードの底面および前記後のボードの底面にキャスターが取り付けられ、このキャスターに、回転軸を有するローラーが備えられ、このローラーの回転軸のそれぞれが、回動軸まわりに回動するように構成され、この回動軸のそれぞれが、側面視で鉛直軸に対して斜め前方に傾斜し、前記前後のボードから捩じれ力を受けた際に捩じれ、且つこの捩じれ力が解除された際に元の状態に復元する弾性部材が、前記連結部材に備えられ、前記前のボードおよび／または前記後のボードの縁に緩衝部材が備えられた、ことを特徴とする。
【発明の効果】
【０００８】
本発明に係るスケートボードは上記した構成である。この構成により、滑走に際し、弾性部材が捩じれることで前後の各ボードが地面に対して傾いた場合、ボードの縁に備えられた緩衝部材が地面に接触することにより、ボードが地面に直接接触することが防止される。したがって、地面の損傷を防止することができる。
【図面の簡単な説明】
【０００９】
【図１】本発明の実施形態に係るスケートボードの底面斜視図である。
【図２】本発明の実施形態に係るスケートボードのキャスターの側面図である。
【図３】本発明の実施形態に係るスケートボードの連結部材の断面構造図である。
【図４】本発明の実施形態に係るスケートボードの連結部材の外観斜視図である。
【図５】本発明の実施形態に係るスケートボードを滑走させる際の動きが示された説明図である。
【発明を実施するための形態】
【００１０】
以下に、本発明の実施形態に係るスケートボードを図面に基づいて説明する。図１は、本発明の実施形態に係るスケートボード１を底面側から斜視したものが示されている。
【００１１】
図１に示されているとおり、本実施形態に係るスケートボード１は、前のボード１０と、後のボード２０と、前後の各ボード１０，２０が離隔した状態で連結された連結部材としての捩じれパイプ４０とで構成されている。さらに、前後の各ボード１０，２０は、プレート１１，２１と、各プレート１１，２１の底面に取り付けられた傾斜式偏心キャスター１３，２３と、前後の各ボード１０，２０の縁に取りつけられた緩衝部材６０とで構成されている。
【００１２】
緩衝部材６０は、例えばゴムなどであり、捩じれパイプ４０が捩じれることで前後の各ボード１０，２０が地面に向けて傾いた際、前後の各ボード１０，２０の縁を直接地面に接触させないためのものである。すなわち、図１に示されているとおり、前後の各ボード１０，２０の縁の形状に倣って形成され、前後の各ボード１０，２０の底面の縁に取りつけられている。なお、地面に接触しても地面を損傷させない部材であれば、材質、形状、取り付け位置、個数は任意である。したがって、例えば、前後の各ボード１０，２０の縁で平面側と底面側とを挟む形状などであってもよい。
【００１３】
次に、傾斜式偏心キャスター１３を図面に基づいて説明する。図２は、前のボード１０に取り付けられた傾斜式偏心キャスター１３の側面が示されている。なお、各傾斜式偏心キャスター１３，２３は同じ構成であるため、後のボード２０に取り付けられた傾斜式偏心キャスター２３が省略されている。
【００１４】
図２に示されているとおり、傾斜式偏心キャスター１３は、プレート１１の底面に形成されたローラー支持部３４と、回動軸５を介してローラー支持部３４に支持されると共に、ローラー支持部３４と相対的に、回動軸５周りに回動が可能なローラーアーム３５と、このローラーアーム３５の腕の中心部に軸で支持されたローラー３６とで構成されている。ローラー支持部３４は、後方側よりも前方側が厚く形成されたことでクサビ型に形成され、後方側から前方側に向けて地面側に傾斜する傾斜面３７が形成されている。プレート１１に対する傾斜面３７の角度（ローラー支持部３４とプレート１１との連接面と、傾斜面３７とのなす角）は、鋭角θである。ローラーアーム３６は、回動軸５が傾斜面３７に対して直角に取り付けられているため、側面視して回動軸５が鉛直軸に対して斜め前方に傾斜している。鉛直軸に対する回動軸５の傾斜角度は、鋭角θと同じである。
【００１５】
次に、捩じれパイプ４０を図面に基づいて説明する。図３は、捩じれパイプ４０の断面構造が示され、また、図４は、捩じれパイプの外観を斜視したものが示されている。
【００１６】
図３に示されているとおり、捩じれパイプ４０は、前後二つのパイプ４１，５０と、後のパイプ５０の内側に取り付けられた内側パイプ５２と、この内側パイプ５２の先端に形成されて前のパイプ４１に連結された掛け金スプリング５３，５４と、後のパイプ５０の内側に配置された弾性部材としての板スプリング５５とで構成されている。
【００１７】
後のパイプ５０と内側パイプ５２とは、対面する互いの側面に環状の溝が形成され、この溝に配置されたベアリング５１を介して連結されている。すなわち、後のパイプ５０と内側パイプ５２とは、ベアリング５１を介して同軸上で互いに回転が可能であると共に、軸方向に互いに分離することが規制されている。
【００１８】
掛け金スプリング５３は、板バネであり、くの字状に折り曲げられて圧縮させられた状態で内側パイプ５２の内側に取り付けられている。また、掛け金スプリング５４は、板バネの先端の側面に突出して形成され、圧縮された板バネの復元力によって、内側パイプ５２の側面および前のパイプ４１の側面のそれぞれに形成された孔から突出している。この構成により、掛け金スプリング５３の復元力により前のパイプ４１と内側パイプ５２とが掛け金スプリング５３を介して連結され、一方、掛け金スプリング５３が圧縮されることで前のパイプ４１と内側パイプ５２とが分離する。すなわち、掛け金スプリング５３，５４により、前のパイプ４１と内側パイプ５２とは、同軸上で互いに回転することが規制されると共に、軸方向に互いに着脱が可能である。前のパイプ４１と内側パイプ５２とを分離させて前後の各ボード１０，２０を分離させた場合、嵩を減らすことができ、保管および携帯が便利である。
【００１９】
図４に示されているとおり、板スプリング５５は、後のパイプ５０の内側に配置され、先端が内側のパイプ５２に連結され、後端がホルダー５６に連結されている。板スプリング５５は、前後の各パイプ４１，５０（図３参照）の相対的な捩じれ運動によって捩じれ力を受けた際に弾性変形し、捩じれ力が解除された際に元の状態に復元する。この作用により、捩じれパイプ４０が捩じれたり元の状態に戻ったりする。
【００２０】
以上のとおり、本実施形態に係るスケートボード１が構成されている。次に、本実施形態に係るスケートボード１の推進における作用を図面に基づいて説明する。図５は、スケートボード１が滑走および旋回する際の動きが示されている。
【００２１】
図５（ａ）に示されているとおり、傾斜式偏心キャスター１３，２３が取り付けられたスケートボード１は、前後の各ボード１０，２０のそれぞれに片方ずつ足を乗せた利用者が、前のボード１０側の足２を進行方向４の右側に傾けることで、前のボード１０の傾斜式偏心キャスター１３のローラーアーム３５が右に回動し（足２を傾けた方向の反対方向である左側に振れ）、ローラー３６が右側に向けて転がる。すなわち、前のボード１０が後のボード２０に対して右側に回転するため、スケートボード１は右側に旋回する。
【００２２】
一方、図５（ｂ）に示されているとおり、利用者が後のボード２０側の足３を進行方向４の右側に傾けることで、後のボード２０の傾斜式偏心キャスター２３のローラーアーム２５が右に回動し（足３を傾けた方向の反対方向である左側に振れ）、ローラー２６が右側に向けて転がる。すなわち、後のボード２０が前のボード１０に対して左側に回転するため、スケートボード１は左側に旋回する。
【００２３】
さらに、図５（ｃ）に示されているとおり、前のボード１０が進行方向４の右側に傾き、後のボード２０が進行方向４の左側に傾くことで、スケートボード１は、スケートボード１の全長を直径とする小さな円軌道上を右側に回転する。また、スケートボード１は、滑走中に前後の各ボード１０，２０が両方とも同じ方向に傾くことで、その傾いた方向に平行移動する。
【００２４】
次に、スケートボード１が滑走する際に必要な推進力の発生メカニズムを図面に基づいて説明する。図５（ｄ）は、利用者が進行方向４の左側に身体を捩じる運動をした場合のスケートボード１に作用する力の状態が示されている。図５（ｄ）に示されているとおり、スケートボード１は、利用者が進行方向４の左側に身体を捩じる運動をすることによって、前のボード１０はｙ軸の正の方向に力が作用し、一方、後のボード２０はｙ軸の負の方向に力が作用する。このような力の大きさに相応して、各傾斜式偏心キャスター１３，２３（各ローラーアーム２５，３５）の向きが変化し、各傾斜式偏心キャスター１３，２３（各ローラーアーム２５，３５）の向きとｘ軸（進行方向４）とのなす角が、一定の角α、βとなる。
【００２５】
各傾斜式偏心キャスター１３，２３の各ローラー支持部２４，３４のクサビ型形状によって、利用者が身体を捩じる力に起因し、各傾斜式偏心キャスター１３，２３（各ローラーアーム２５，３５）が向く方向に、分力Ｆ１，Ｆ２が生じる。この各分力Ｆ１，Ｆ２の水平（ｘ軸）成分（Ｆ１ｃｏｓα，Ｆ２ｃｏｓβ）が、スケートボード１を進行方向４に前進させる推進力になる。このことにより、滑走中に利用者が足で地面を蹴ってスケートボード１の推進力を得る必要はなく、前後の各ボード１０，２０の上で利用者が進行方向４に対して身体を左右側に捩じることでスケートボード１が前進する。各分力Ｆ１，Ｆ２の垂直（ｙ軸）成分（Ｆ１ｓｉｎα，Ｆ２ｓｉｎβ）は、スケートボード１の重量中心を中心とし回転運動を発生させるモーメントの役目をする。
【００２６】
次に、本実施形態の効果を説明する。
【００２７】
本実施形態に係るスケートボード１は、緩衝部材６０が、前後の各ボード１０，２０の縁の形状に倣って形成され、前後の各ボード１０，２０の底面の縁に取りつけられている。この構成により、滑走に際し、板スプリング５５が捩じれることで前後の各ボード１０，２０が地面に対して傾いた場合、緩衝部材６０が地面に接触することにより、前後の各ボード１０，２０が地面に直接接触することが防止される。したがって、地面の損傷を防止することができる。例えば、屋内施設で用いられる場合であっても、床の損傷を防止することができる。
【００２８】
本実施形態に係るスケートボード１は、滑走の際、小さな半径で回転することが可能である。また、滑走中に利用者が足で地面を蹴ってスケートボード１の推進力を得る必要がなく、前後の各ボード１０，２０の上で利用者が進行方向４に対して身体を左右側に捩じることでスケートボード１を前進させることができる。
【００２９】
本実施形態に係るスケートボード１は、捩じれパイプ４０が取り付けられている。この構成によって、スケートボード１の滑走中の方向を転換させ、または推進力を発生させるために、前後の各ボード１０，２０を進行方向に対して左右に傾けた際、板スプリング５５の復元力が作用して利用者の均衡が維持され、滑走の安全を図ることができる。
【００３０】
次に、本発明に係る他の実施形態を説明する。
【００３１】
スケートボード１は、前後の各ボード１０，２０の底面に取り付けられた傾斜式偏心キャスター１３，２３が、二つ以上のインライン（ｉｎ−ｌｉｎｅ）形態、または横軸に並んで配置されていてもよい。これらの場合、回転半径が僅かに大きくなる反面、安定性を増加させることができる。
【００３２】
スケートボード１は、前のボード１０に傾斜式偏心キャスター１３が取り付けられ、後のボード２０に非回動軸心式タイヤが一つ以上取り付けられていてもよい。この場合、回転は前のボード１０でのみ可能であり、乳児または小児が安全に利用することができる。
【００３３】
スケートボード１は、弾性ゴムなどのような弾性体を、捩じれパイプ４０の両側に、これと平行に配置して前後の各ボード１０，２０が連結されていてもよい。捩じれなどの場合に対して弾性復元力を得ることもできる。
【００３４】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３５】
１                スケートボード
２                前のボード側の足
３                後のボード側の足
４                進行方向
５                回動軸
１０              前のボード
１１，２１        プレート
１３，２３        傾斜式偏心キャスター（キャスター）
２０              後のボード
２４，３４        ローラー支持部
２５，３５        ローラーアーム
２６，３６        ローラー
２７，３７        傾斜面
４０              捩じれパイプ（連結部材）
４１              前のパイプ
５０              後のパイプ
５１              ベアリング
５２              内側パイプ
５３，５４        掛け金スプリング
５５              板スプリング（弾性部材）
５６              ホルダー
６０              緩衝部材
Ｆ１，Ｆ２        分力
θ                鋭角
α，β            角
【図１】
0006429183.tif 000002
【図２】
0006429183.tif 000003
【図３】
0006429183.tif 000004
【図４】
0006429183.tif 000005
【図５】
0006429183.tif 000006